(57)【要約】      （修正有）【課題】高帯域幅が所望される用途において使用されるＱＦＳＰコネクタに関し、更にアクティブな電気又は光トランシーバモジュールの組み込みを可能にする。【解決手段】プラグコネクタは、パドルカード３０を備えたハウジング１５を含む。ケーブル１５０は、パドルカード３０のパッドに接続される。パドルカード３０の一方の面は、複数の列の信号終端を含む。パドルカード３０の別の面は、単一の列のケーブル終端を含む。ケーブル管理部材を使用して信号終端の列を支持することができる。遮蔽部材を使用して信号終端の電気的性能を向上することができる。【選択図】図１
2020115469.tif 000002
【特許請求の範囲】
【請求項１】
嵌合軸に沿って嵌合するように構成されているハウジングと、
該ハウジング内に取り付けられたパドルカードであって、該パドルカードは、第１の面と、該第１の面と反対側の第２の面と、第１の嵌合端と、該第１の嵌合端と反対側の第２の端部と、を有し、前記パドルカードは、前記第１の嵌合端に隣接する複数の導電性の嵌合パッドと、複数のケーブル終端パッドと、を含み、該複数のケーブル終端パッドは、前記パドルカードの前記第１の面における第１の列セット、及び前記パドルカードの前記第２の面における単一の列のみに構成されており、各列の前記ケーブル終端パッドは、信号終端パッドを含み、前記第１の面上のケーブル終端パッドの第１の列数が、前記第２の面上のケーブル終端パッドの第２の列数の少なくとも２倍である、パドルカードと、
複数のケーブルであって、各ケーブルが、信号導体を含み、各信号導体が、前記信号終端パッドの１つに終端されている、複数のケーブルと、を備えるプラグアセンブリ。
【請求項２】
前記嵌合パッドが、複数の対で構成されており、各対は、前記嵌合軸に対して平行である、請求項１に記載のプラグアセンブリ。
【請求項３】
前記パドルカードが、該パドルカードの前記第２の端部に隣接する前記第１の面に沿ったケーブル終端パッドの第１の列と、前記ケーブル終端パッドの第１の列から離間し、かつ前記嵌合パッドから離間したケーブル終端パッドの少なくとも１列の追加の列と、を含み、前記ケーブル終端パッドの第１の列及び前記ケーブル終端パッドの追加の列は、信号終端パッドを備え、複数の第１のケーブルのそれぞれの信号導体は、前記第１の列の前記信号終端パッドのそれぞれに終端されて第１の信号終端を画定し、複数の追加のケーブルのそれぞれの信号導体は、前記追加の列の前記信号終端パッドのそれぞれに終端されている、請求項１に記載のプラグアセンブリ。  
【請求項４】
各追加のケーブルの一部が、前記第１の信号終端の１つの上に延在する、請求項３に記載のプラグアセンブリ。
【請求項５】
各第１の信号終端と隣接する追加のケーブルとの間に導電性の遮蔽構造を更に備える、請求項４に記載のプラグアセンブリ。
【請求項６】
各導電性の遮蔽構造が、接地部材に電気的に接続されている、請求項５に記載のプラグアセンブリ。
【請求項７】
嵌合軸に沿って嵌合するように構成されているハウジングと、
該ハウジング内に取り付けられたパドルカードであって、該パドルカードは、第１の嵌合端と、該第１の嵌合端と反対側の第２の端部と、を有し、前記パドルカードは、前記第１の嵌合端に隣接する複数の導電性の嵌合パッドを含み、複数のケーブル終端パッドは、列に配置されており、前記ケーブル終端パッドの列は、信号終端パッドを含む、パドルカードと、
複数のケーブルであって、各ケーブルが、信号導体を含み、各信号導体が、前記信号終端パッドの１つに終端されて、信号終端を画定する、複数のケーブルと、
前記パドルカード上に配置された複数の導電性の遮蔽突起であって、各遮蔽突起は、隣接する信号終端の間に配置され、電気的に接地されている、遮蔽突起と、を備え、
前記パドルカードが、該パドルカードの前記第２の端部に隣接するケーブル終端パッドの第１の列と、前記ケーブル終端パッドの第１の列から離間し、かつ前記嵌合パッドから離間したケーブル終端パッドの少なくとも１列の追加の列と、を含み、前記ケーブル終端パッドの第１の列及び前記ケーブル終端パッドの追加の列は、信号終端パッドを備え、複数の第１のケーブルのそれぞれの信号導体は、前記第１の列の前記信号終端パッドのそれぞれに終端されて第１の信号終端を画定し、複数の追加のケーブルのそれぞれの信号導体は、前記追加の列の前記信号終端パッドのそれぞれに終端されている、プラグアセンブリ。
【請求項８】
遮蔽部材を更に備え、該遮蔽部材は、本体と、前記複数の遮蔽突起と、を含む、請求項７に記載のプラグアセンブリ。
【請求項９】
前記複数の遮蔽突起が、前記本体と一体に形成されている、請求項８に記載のプラグアセンブリ。
【請求項１０】
前記本体が、前記遮蔽突起と相互接続するベース部を更に含み、該ベース部は、前記パドルカードから離間しており、前記遮蔽突起は、前記パドルカードと前記ベース部との間に延在している、請求項９に記載のプラグアセンブリ。
【請求項１１】
前記ベース部が、各信号終端の上に導電性のシールドを含む、請求項１０に記載のプラグアセンブリ。
【請求項１２】
各追加のケーブルの一部が、前記第１の信号終端の１つの方に延在し、前記ベース部の前記導電性のシールドが、各第１の信号終端と隣接する追加のケーブルとの間に配置されている、請求項１１に記載のプラグアセンブリ。
【請求項１３】
前記遮蔽突起及び前記ベース部が、複数のＵ字型開口部を画定する、請求項１０に記載のプラグアセンブリ。
【請求項１４】
前記本体が、前記遮蔽突起と相互接続するベース部を更に含み、該ベース部は、前記パドルカードと隣接しており、前記遮蔽突起は、前記ベース部から延在している、請求項９に記載のプラグアセンブリ。
【請求項１５】
各遮蔽突起が、電気的に接地されている、請求項７に記載のプラグアセンブリ。
【請求項１６】
前記ケーブル終端パッドの列が、前記嵌合軸に対して垂直である、請求項７に記載のプラグアセンブリ。
【請求項１７】
前記嵌合パッドが、複数の対で構成されており、各対は、前記嵌合軸に対して平行である、請求項７に記載のプラグアセンブリ。
【請求項１８】
嵌合軸に沿って嵌合するように構成されているハウジングと、
該ハウジング内に取り付けられたパドルカードであって、該パドルカードは、第１の嵌合端と、該第１の嵌合端と反対側の第２の端部と、を有し、前記パドルカードは、前記第１の嵌合端に隣接する複数の導電性の嵌合パッドを含み、複数のケーブル終端パッドは、列に配置されており、前記ケーブル終端パッドの列は、信号終端パッドを含む、パドルカードと、
複数のケーブルであって、各ケーブルが、信号導体を含み、各信号導体が、前記ケーブル終端パッドの１つに終端されて、信号終端を画定する、複数のケーブルと、
前記ケーブル終端パッドの列に隣接する前記パドルカード上に配置されたケーブル管理部材であって、該ケーブル管理部材は前記ケーブルの１本を各開口部に配置した複数の開口部を含む、ケーブル管理部材と、を備え、
前記パドルカードが、該パドルカードの前記第２の端部に隣接するケーブル終端パッドの第１の列と、前記ケーブル終端パッドの第１の列から離間し、かつ前記嵌合パッドから離間したケーブル終端パッドの少なくとも１列の追加の列と、を含み、前記ケーブル終端パッドの第１の列及び前記ケーブル終端パッドの追加の列は、信号終端パッドを備え、複数の第１のケーブルのそれぞれの信号導体は、前記第１の列の前記信号終端パッドのそれぞれに終端されて第１の信号終端を画定し、複数の追加のケーブルのそれぞれの信号導体は、前記追加の列の前記信号終端パッドのそれぞれに終端されている、プラグアセンブリ。
【請求項１９】
各追加のケーブルの一部が、前記第１の信号終端の１つの方に延在している、請求項１８に記載のプラグアセンブリ。
【請求項２０】
前記ケーブル管理部材が、複数の導電性の遮蔽突起を更に含み、各遮蔽突起は、隣接する信号終端の間に配置されており、接地部材に電気的に接続されている、請求項１８に記載のプラグアセンブリ。
【発明の詳細な説明】
【技術分野】
【０００１】
関連出願
本特許出願は、２０１６年１０月１３日に出願された米国特許仮出願第６２／４０７，７４７号に対する優先権を主張する。上記仮出願は、参照により本明細書に組み込まれる。
【０００２】
本開示は、入力／出力（ＩＯ）コネクタの分野に関し、より具体的には、高データ速度用途での使用に好適なＩＯコネクタに関する。
【背景技術】
【０００３】
入力／出力コネクタは、高帯域幅が所望される用途において一般的に使用される。例えば、スモールフォームファクタプラガブル（ＳＦＰ）型コネクタは、元々送信及び受信チャネルを提供するために（例えば、１Ｘコネクタとして既知であるものを提供するために）開発されたものであり、１６Ｇｂｐｓチャネル、更には２５Ｇｂｐｓチャネルをサポートできるように、次第にＳＦＰコネクタの性能は、向上してきた。１Ｘコネクタは、特定のニーズには不十分であると迅速に判断され、クアッドスモールフォームファクタプラガブル（ＱＳＦＰ）型コネクタは、より多くのチャネルを提供し、４Ｘコネクタとしての役割を果たすために開発された。
【０００４】
より大きなサイズのコネクタが、開発されてきたが（ＩＮＦＩＮＢＡＮＤ標準に準拠している１０Ｘコネクタなど）、ＱＳＦＰ型コネクタは、それらのサイズのために依然として一般的なままであった。ＱＳＦＰコネクタは、幅広い製造プロセスに対応する０．８ｍｍのピッチを有し、ＱＳＦＰプラグハウジングにおいて提供されるこの間隔は、従来のパッシブケーブル終端を収容するための十分な空間を確保し、更にアクティブな電気又は光トランシーバモジュールの組み込みを可能にする（どちらも、データレートが増加するに伴いますます望ましくなる）。しかしながら特定の個人は、そのようなプラグ着脱可能なコネクタの設計の更なる改善を評価するであろう。
【発明の概要】
【課題を解決するための手段】
【０００５】
一態様では、プラグアセンブリは、嵌合軸、パドルカード、及び複数のケーブルに沿って嵌合するように構成されたハウジングを含む。パドルカードは、ハウジング内に取り付けられ、第１の面、及び第１の面と反対側の第２の面、並びに第１の嵌合端、及び第１の嵌合端と反対側の第２の端部を有する。パドルカードは、第１の嵌合端に隣接する複数の導電性の嵌合パッド（conductive mating pad ）、及び複数のケーブル終端パッドを含む。複数のケーブル終端パッドは、パドルカードの第１の面における第１の列セット、及びパドルカードの第２の面における単一の列のみに構成されており、各列のケーブル終端パッドは、信号終端パッド及び接地終端パッドを含んでいる。第１の面上のケーブル終端パッドの第１の列数は、第２の面上のケーブル終端パッドの第２の列数の少なくとも２倍である。各ケーブルは、信号導体を含み、各信号導体は、信号終端パッドの１つに終端される。
【０００６】
別の態様では、プラグコネクタを組み立てる方法は、ａ）嵌合軸に沿って嵌合するように構成されているハウジングを提供することと、ｂ）第１の面、第１の嵌合端、及び第１の嵌合端の反対側の第２の端部を有するパドルカードを提供することと、を含む。パドルカードは、第１の嵌合端に隣接する複数の導電性の嵌合パッド、及び複数のケーブル終端パッドを含み、その複数のケーブル終端パッドは、パドルカードの第２の端部に隣接する第１の面に沿ったケーブル終端パッドの第１の列と、ケーブル終端パッドの第１の列から離間し、かつ嵌合パッドから離間したケーブル終端パッドの少なくとも１列の追加の列とに構成されている。ケーブル終端パッドの第１の列及びケーブル終端パッドの追加の列は、信号終端パッド及び接地終端パッドを含む。この方法は、ｃ）複数のケーブルを提供し、各ケーブルは信号導体を含んでいることと、ｄ）第１のケーブルセットの各信号導体をケーブル終端パッドの第１の列の信号終端パッドの１つに終端して第１の信号終端を画定することと、ｅ）隣接する第１の信号終端間に導電性の第１の遮蔽突起を取り付けること、及び各第１の遮蔽突起を第１の列の接地終端パッドの１つに電気的に接続することを含む、第１の遮蔽部材をパドルカード上に取り付けることと、を更に含む。この方法はまた、ｆ）工程ｄ）及びｅ）の完了後に、第２のケーブルセットの各信号導体をケーブル終端パッドの第２の列の信号終端パッドの１つに終端して第２の信号終端を画定することと、ｇ）隣接する第２の信号終端間に導電性の第２の遮蔽突起を取り付けること、及び各第２の遮蔽突起を第２の列の接地終端パッドの１つに電気的に接続することを含む、第２の遮蔽部材をパドルカード上に取り付けることと、ｈ）パドルカード及びケーブルをハウジング内に取り付けることと、を含む。
【０００７】
更に別の態様では、プラグアセンブリは、嵌合軸、パドルカード、複数のケーブル、及び複数の導電性の遮蔽突起に沿って嵌合するように構成されているハウジングを含む。パドルカードは、ハウジング内に取り付けられ、第１の嵌合端、及び第１の嵌合端と反対側の第２の端部を有する。パドルカードは、第１の嵌合端に隣接する複数の導電性の嵌合パッド、及び列に配置された複数のケーブル終端パッドを含み、ケーブル終端パッドの列は、信号終端パッド及び接地終端パッドを含む。複数のケーブルは、信号導体を含み、各信号導体は、信号終端パッドの１つに終端されて信号終端を画定する。複数の導電性の遮蔽突起は、パドルカード上に配置されており、各遮蔽突起は、隣接する信号終端間に配置され、接地終端パッドの１つに電気的に接続されている。
【０００８】
更なる態様では、プラグアセンブリは、嵌合軸、パドルカード、複数のケーブル、及びケーブル管理部材に沿って嵌合するように構成されているハウジングを含む。パドルカードは、ハウジング内に取り付けられ、第１の嵌合端、及び第１の嵌合端と反対側の第２の端部を有する。パドルカードは、第１の嵌合端に隣接する複数の導電性の嵌合パッド、及び列に配置された複数のケーブル終端パッドを含み、ケーブル終端パッドの列は、信号終端パッド及び接地終端パッドを含む。複数のケーブルは、信号導体を含み、各信号導体は、信号終端パッドの１つに終端されて信号終端を画定する。ケーブル管理部材は、ケーブル終端パッドの列に隣接してパドルカード上に配置されており、ケーブル管理部材は、ケーブルの１本を各開口部に配置した複数の開口部を有する。
【０００９】
本発明は、一例として例示され、添付図面に限定されるものではなく、図面中、同様の参照番号は、類似の要素を示す。
【図面の簡単な説明】
【００１０】
【図１】本開示によるプラグコネクタの斜視図を図示する。
【図２】概ね図１の線２−２に沿って取られた拡大した断面図を図示する。
【図３】図２の一部の拡大した側面図を図示する。
【図４】上部ハウジング部材をそこから分解した図１のプラグコネクタの斜視図を図示する。
【図５】図４に類似しているが上部ハウジング部材なしの拡大した斜視図を図示する。
【図６】本開示によるケーブル管理部材及び遮蔽部材と共に複数のケーブルをそこに終端したパドルカードの斜視図を図示する。
【図７】図６に類似しているが、明確にするためにケーブルの部分を取り除き、構成要素を異なる観点から描いた斜視図を図示する。
【図８】図６のパドルカード、ケーブル、ケーブル管理部材、及び遮蔽部材の部分分解斜視図を図示する。
【図９】図６に類似しているが、明確にするためにケーブルを取り除いた斜視図を図示する。
【図１０】パドルカードの底部を描くためにアセンブリを回転した図６においてパドルカード及び構成要素を取り付けた斜視図を図示する。
【図１１】図１０の分解斜視図を図示する。
【図１２】図１０に類似しているが、明確にするためにケーブルを取り除いた斜視図を図示する。
【図１３】図１０に類似しているが、明確にするためにケーブルの部分を取り除き、かつ構成要素を異なる観点から示した斜視図を図示する。
【図１４】本開示によるパドルカードの斜視図を図示する。
【図１５】図１４の拡大した断片部分を図示する。
【図１６】明確にするためにケーブルの部分を取り除いた信号終端パッドへ、複数の信号導体と共に終端したケーブル管理部材の一部の拡大した斜視図を図示する。
【図１７】本開示によるケーブル管理部材の斜視図である。
【図１８】本開示による遮蔽部材の斜視図である。
【図１９】図１８の遮蔽部材に接続した図１７のケーブル管理部材の斜視図である。
【図２０】図１９に類似しているが、アセンブリの底部を示す異なる観点からの斜視図である。
【図２１】部分的に組み立てた状態のパドルカード、ケーブル、ケーブル管理部材、及び遮蔽部材の斜視図である。
【図２２】更に部分的に組み立てた状態のパドルカード、ケーブル、ケーブル管理部材、及び遮蔽部材の斜視図である。
【図２３】ケーブル管理部材及び遮蔽部材を備えた、及び備えない場合の周波数に応じたクロストークのシミュレーションプロットのグラフである。
【図２４】ケーブル管理部材及び遮蔽部材を備えた、及び備えない場合の周波数に応じた挿入損失のシミュレーションプロットのグラフである。
【図２５】ケーブル管理部材及び遮蔽部材を備えた、及び備えない場合の周波数に応じた反射減衰量のシミュレーションプロットのグラフである。
【図２６】ケーブル管理部材及び遮蔽部材を備えた、及び備えない場合の時間に応じたインピーダンスのシミュレーションプロットのグラフである。
【発明を実施するための最良の形態】
【００１１】
以下の発明を実施するための形態は、例示的な実施形態を説明するものであり、開示された特徴は、明示的に開示された組み合わせ（複数可）に限定することを意図しない。したがって、別途注記のない限り、本明細書で開示される特徴は、一緒に組み合わせて、簡潔さのために別の場合では示されなかった、更なる組み合わせを形成することができる。
【００１２】
図１〜５を参照すると、プラグコネクタ１０が開示されている。プラグコネクタ１０は、回路基板又はパドルカード３０をその中に配置したハウジング１５、及びパドルカードに終端された複数のケーブル１５０を含む。
【００１３】
ハウジング１５は、上部ハウジング構成要素１６及び下部ハウジング構成要素１７を有する２片構造として示されている。ハウジング１５は、先端又は嵌合端２０、及び嵌合端と反対側の後端２１を有する。上部ハウジング構成要素１６は、嵌合端２０に隣接する上部片持ちセクション２２を有し、下部ハウジング構成要素１７は、嵌合端に同様に隣接する下部片持ちセクション２３を有する。一実施形態では、上部片持ちセクション２２は、下部片持ちセクション２３よりも遠くに延在する。上部及び（end ）下部ハウジング構成要素１６、１７は、概して後端２１に隣接して位置付けられた締結具１８を用いるなど任意の所望の方法で互いに固定されてもよい。
【００１４】
ハウジング１５は、任意の所望の方法で、かつ任意の所望の材料で形成されてもよい。例として、上部及び下部ハウジング構成要素１６、１７は、ダイカストであっても、機械加工、又は成形されてもよい。上部及び下部ハウジング構成要素１６、１７は、金属、プラスチック、又は任意の他の所望の材料から形成されてもよい。必要に応じて、上部及び下部ハウジング構成要素１６、１７は、例えば、金属の構成要素を形成することによって、又はプラスチックの構成要素を形成することによって、及び所望されるようにめっきを施すことによって、導電性であってもよい。
【００１５】
プラグコネクタ１０はまた、嵌合レセプタクル（図示せず）からプラグコネクタ１０をロック及びロック解除するためのラッチング機構２５も含んでもよい。ラッチング機構は、１対のラッチアーム２７に機能的に接続された手動で把持可能な解放部材２６を含む。嵌合端２０から離れて嵌合軸２００に沿った解放部材２６の長手方向の移動は、ラッチアーム２７の移動を引き起こして、嵌合レセプタクルからラッチアームを係合解除する。
【００１６】
回路基板又はパドルカード３０は、ハウジング１５内に配置されている。一実施形態では、パドルカード３０は、パドルカードの上面３１と、図３において２２ａで示される上部片持ちセクションとの間の距離「Ａ」（図３）が、パドルカードの下面３２と、図３において２３ａで示される下部片持ちセクションとの間の距離「Ｂ」の少なくとも２倍であるように、ハウジングの底壁１７に向かってオフセットしてハウジング１５内部に位置付けられてもよい。
【００１７】
図１４〜１５を参照すると、パドルカード３０は、嵌合端３３及び嵌合端と反対側の後端３４を有する。パドルカード３０は、嵌合端３３に隣接する上面３１及び下面３２（図１０〜１２）の両方で嵌合軸２００に対して平行に延在する複数の導電性の嵌合パッド３５を有する。示されるように、複数の嵌合パッドは、接地パッド又は言及されたパッドとして構成され得る複数の横方向に離間した（嵌合軸２００に対して）細長いパッド３６を含む。
【００１８】
（嵌合軸２００に沿って又は平行している）より短い導電性のパッドの複数のセット４０は、細長いパッド３６の間に横方向に位置付けられている。示されるように、導電性の嵌合パッドの各セット４０は、嵌合端３３から後端３４に向かって連続的に、第１の比較的短いパッド４１、第２の中間の長さのパッド４２、比較的長い第３のパッド４３、及び第４の中間の長さのパッド４４を含む。示された実施形態では、第２及び第４の中間の長さのパッド４２、４４のほとんど又は全ては、パドルカード３０の回路又はパドルカード３０上の構成要素に電気的に接続されていてもよい。第１のパッド４１及び第３のパッド４３は、パドルカード３０の回路又はパドルカード３０上の構成要素に電気的に接続されていないことがあり、嵌合レセプタクル（図示せず）の末端（図示せず）が、嵌合プロセス中にそれに沿ってスライドし得る比較的滑らかな表面として動作してもよい。
【００１９】
パドルカード３０は、上面３１上に導電性のケーブル終端パッドの３列５０〜５２を有し、下面３２上にケーブル終端パッドの１列５３（図１１）を有する。ケーブル終端パッドのそれぞれは、嵌合軸２００に沿って又は嵌合軸２００に対して伸長している。上面３１上では、ケーブル終端パッドの第１の列５０は、概して後端３４に隣接して位置付けられ、他方の２列５１〜５２は、第１の列と、嵌合端３３に隣接する導電性の嵌合パッド３５との間に位置付けられている。下面３２上では、ケーブル終端パッドの列５３は、概して嵌合パッド３５に最も近い上面３１上の列５２の下に位置付けられている。
【００２０】
示されるように、ケーブル終端パッドの各列５０〜５３は、４対の信号終端パッド５５を有する。パドルカード３０は、信号終端パッド５５の各対が差動対として動作するように構成されてもよい。信号終端パッド５５の各対は、隣接する対から離間しており、接地終端パッド５６は隣接する対の間に配置される。接地終端パッド５６は、最も外側の信号終端パッド５５の対と、パドルカード３０の外縁３７との間にも配置されてもよい。そのような構成により、信号終端パッド５５の各対は、その相対する外側部に接地終端パッド５６を含む。
【００２１】
必要に応じて、導電性ブリッジング部材５７は、各接地終端パッド５６の１つの端部６０に沿って延在して、接地終端パッドのそれぞれと相互接続してもよい。理解され得るように、信号終端パッド５５の各対は、したがってＵ字型接地トレースによって取り巻かれている。横方向タブ６２は、各接地終端パッド５６の反対端６１から横方向に延在してもよい。接地終端パッド５６、導電性ブリッジング部材５７、横方向タブ６２、及び接地ビア６３の位置決めを含む接地構造を利用して、電気的性能の向上を実現することができる。より具体的には、接地構造の構成は、接地接続間の経路を短縮して、プラグコネクタ１０が動作しているシステムの動作周波数より上に存在し得る任意の可能な共鳴の周波数を増大させることによってシステム内部の共鳴を低減する。
【００２２】
パドルカード３０は、従来の回路基板製造プロセスを利用することを含む任意の所望の方法で形成されてもよい。一実施形態では、パドルカード３０は、接地層、信号層、及び混合層を含む８層の導電層を有してもよい。嵌合パッド３５及びケーブル終端パッド５０〜５３、５５〜５６は、導電トレース（上面３１上のトレース６６など）を有する導電層のいずれかに沿って、そして当該技術分野において周知であるように導電ビア６３、６５を使用して層間に、電気的に接続されていてもよい。コンデンサなどの様々な構成要素（図示せず）を、構成要素取付けパッド６８でパドルカード３０上に取り付けてもよい。取付け孔又は穴６７は、更に詳しく後述されるように、パドルカードに構成要素を取り付けるためにパドルカード３０を通って延在してもよい。示されるように、取付け孔６７は、めっきされた貫通孔であり、パドルカード３０内部の１層又は２層以上の接地層に機械的かつ電気的に接続されている。
【００２３】
図面に示されるように、複数のケーブル１５０は、パドルカード３０に終端されている。示された実施形態では、各ケーブル１５０は、１対の信号導体１５１による二芯同軸ケーブルとして構成されている。各信号導体１５１は、絶縁体１５２によって取り巻かれ、複数の絶縁体１５２は、接地又は遮蔽層１５３によって取り巻かれ、遮蔽層は、外側絶縁層１５４によって取り巻かれている。信号導体１５１のそれぞれは、はんだ付け又は任意の他の所望の方法などによって信号終端パッド５５の１つに終端されて、信号終端１５５を形成する。
【００２４】
パドルカード３０の上面３１に終端されたケーブル１５０は、複数のケーブル管理部材７０（図１７〜１９）を使用してパドルカードに固定される。図６〜９に示されるように、１つのケーブル管理部材７０は、ケーブル終端パッドの各列５０〜５２の終端を支援するように提供される。各ケーブル管理部材７０は、略矩形状をなして、開放中央部、つまり空洞７２を有する直方体状の本体７１を形成する。本体７１は、前壁７３、前壁と反対側の後壁７４、前壁及び後壁を相互接続する側壁７５、並びに下壁、つまり取付け壁７６を含む。取付け壁７６から下向きに延在する１対の中空の取付け突起部７７。楕円形の穴として構成された複数の開口部８０は、前壁７３及び後壁７４を通って延在する。前壁７３における各開口部８０は、後壁７４における開口部の１つと整列して、嵌合軸２００に対して平行である開口部の対を形成する。開口部８０の形状は、ケーブル１５０の断面と概ね整合するように構成されてもよい。
【００２５】
中央突起部８１は、中央空洞７２内部の下壁７６から上向きに延在し、それぞれ対向する弓状側面８２と共に構成されてもよい。各側壁の部分は、内側に面する弓状側面８４を有してもよい。弓状の側壁を有するチャネル８５は、１対の対向する側面８２、８４によって画定され、各側面はケーブル１５０の断面と概ね整合するように構成されている。各チャネル８５は、開口部８０の対の間に延在し、開口部８０の対の１つと整列している。
【００２６】
ケーブル管理部材７０は、任意の所望の方法で、かつ任意の所望の材料で形成されてもよい。例として、ケーブル管理部材７０は、ダイカストであっても、機械加工、又は成形されてもよい。ケーブル管理部材７０は、金属、プラスチック、又は任意の他の所望の材料から形成されてもよい。必要に応じて、ケーブル管理部材７０は、例えば、金属の構成要素を形成することによって、又はプラスチックの部材を形成することによって、及び所望されるようにめっきを施すことによって、導電性であってもよい。４対の開口部８０と整列したチャネル８５と共に示されているが、ケーブル管理部材７０は、任意の所望の数の対となる開口部とチャネルを有してもよい。更に、一部の実施形態では、ケーブル管理部材は、前壁７３又は後壁７４において開口部８０だけを有してもよく、開口部及びチャネル８５のそれぞれは、ケーブル１５０の断面と整合するように概ね構成されている弓状の側壁を含まないことがある。
【００２７】
理解され得るように、ケーブル管理部材７０は、ケーブル１５０を支持し、信号終端１５５に関する張力緩和の指標を与える。示されるように、単一のケーブル管理部材７０は、終端パッドのそれぞれの列５０〜５２全体にわたって提供されるが、個々のケーブル管理部材はまた、各ケーブル１５０についても提供され得る。単一のケーブル管理部材７０の効果は、堅牢性及び強度の向上、並びに取り扱う部品が少ないことである。ケーブル１５０の保持を改善するために、ポッティング材を使用して、各ケーブル１５０をケーブル管理部材７０に固定することができる。
【００２８】
ケーブル管理部材７０をパドルカード３０上に取り付けるために、ケーブル１５０を、取付け突起部７７がパドルカードにおいて取付け孔６７と揃うようにパドルカードの上に位置付けられた、ケーブル管理部材、並びにケーブル管理部材及びケーブルのアセンブリの中にまず挿入してもよい。ケーブル管理部材７０及びケーブル１５０のアセンブリを次に、取付け突起部７７が取付け孔６７の中に挿入されるようにパドルカード３０に対して移動させる。リベット７８（図１１）などの締結具を、各取付け突起部７７の中に挿入して、パドルカード３０に固定してもよい。取付け孔６７及び取付け突起部７７を含むケーブル管理部材７０が導電性である場合は、電気的接続は、取付け孔と取付け突起部との間の接触を通じて、及び／又はリベット７８を通じて形成されてもよい。
【００２９】
図１６に最も良く見られるように、信号導体１５１を露出させるためにケーブル１５０の端部を整える際（例えば、剥離など）、シールド１５３は、２つの信号導体の周囲から除去される。したがって、信号終端１５５を形成するために信号導体１５１を信号終端パッド５５に終端する際、隣接する信号対からのクロストークは、各信号対の電気的性能に影響を与える場合がある。更に、信号終端１５５の上を通過するケーブル１５０などの他の供給源からの他の信号又は雑音はまた、信号対の電気的性能に悪影響を与える恐れもある。更に、絶縁体１２及びシールド１５３は、信号対の周囲から除去されているので、信号終端パッド５５と信号導体１５１との間の信号終端１５５で伝送線の比較的大きなインピーダンス不連続が生じる恐れもある。
【００３０】
プラグコネクタ１０の電気的性能を向上させるために、遮蔽部材９０を信号終端１５５の上に配設してもよい。図１８を参照すると、遮蔽部材は、開放中央部、つまり空洞９２を有する直方体状の本体９１を概ね形成するような形状である。本体９１は、前壁９３、前壁と反対側の後壁９４、前壁及び後壁を相互接続する側壁９５、上壁又は頂壁９６、並びに下面、つまり取付け面９７を含む。側壁９５は、ケーブル１５０の断面と概ね整合する弓状の内側表面９８と共に構成されてもよい。上壁９６の上面は、前壁９３に隣接して最も低くなるように先細にされてもよい、又は遮蔽部材９０ａに対して示されるように平坦であってもよい。
【００３１】
楕円形の穴の部分又はセグメントとして構成された複数の開口部１００は、前壁９３及び後壁９４を通って延在する。前壁９３における各開口部１００は、後壁９４における開口部の１つと整列して、嵌合軸２００に対して平行である開口部の対を形成する。開口部１００の形状は、ケーブル１５０の断面と概ね整合するように構成されてもよい。
【００３２】
内壁１０１は、上壁９６から中央空洞９２の中に下向きに延在する。内壁１０１は、前壁９３と後壁９４との間に延在し、開口部１００の間の中点に位置付けられている。内壁１０１は、ケーブル１５０の断面と概ね整合する、対向する弓状の側面１０２と共にそれぞれ構成されてもよい。弓状の側壁を有するチャネル１０３は、１対の対向する側面９８、１０２及び前壁９３及び後壁９４における１対の整列した開口部１００によって画定される。
【００３３】
遮蔽部材９０は、任意の所望の方法で、かつ遮蔽部材の少なくとも一部が導電性である任意の所望の材料で形成されてもよい。例として、遮蔽部材９０は、ダイカストであっても、機械加工、又は成形されてもよい。遮蔽部材９０は、金属、プラスチック、又は任意の他の所望の材料から形成されてもよい。非導電材料から形成される場合、めっきなどの導電材料を、所望されるように遮蔽部材９０の少なくとも一部に適用してもよい。４対の開口部１００と整列したチャネル１０３と共に示されているが、遮蔽部材９０は、任意の所望の数の対となる開口部とチャネルを有してもよい。更に、一部の実施形態では、開口部１００及びチャネル１０３のそれぞれは、ケーブル１５０の断面と整合するように概ね構成されている弓状の側壁を含まないことがある。
【００３４】
パドルカード３０上に遮蔽部材９０を取り付ける際に、遮蔽部材の下面９７は、パドルカードの接地終端パッド５６と機械的かつ電気的に接触するであろう。接地終端パッド５６との係合の結果として、遮蔽部材９０の内壁１０１のそれぞれは、接地終端パッドから上向きに延在又は突出する導電性の遮蔽突起として機能又は動作する。接地終端パッド５６は、信号終端の対の間に位置付けられているので、内壁１０１は、信号終端の隣接する対の信号終端１５５の間に配置され、ＥＭＩ放射を低減するように動作し、信号終端の対の間に追加の電気的絶縁を提供する。上壁９６は、追加の遮蔽構造として動作して、ＥＭＩ放射を更に低減し、信号終端の上を通過し得るケーブル１５０などから信号終端を更に隔離するために信号終端１５５を垂直に遮蔽することができる。更に、パドルカード３０のＵ字型接地トレースは、信号終端の対を実質的に取り巻き、そして遮蔽部材９０に電気的に接続されると、信号終端の対により完全な遮蔽を提供する。
【００３５】
上壁９６は、９０ａで示された遮蔽部材に関して示されるように平坦な上面を有してもよく、又は９０で示された遮蔽部材に関して示されるように先細の上面を有してもよい。先細の上面は、ケーブル終端パッドの列５０〜５２をまとめてより近接して離間配置できるようにしてパドルカード３０の寸法の縮小を可能にし得る。
【００３６】
一部の実施形態では、遮蔽部材９０は、ケーブル１５０がパドルカード３０及び信号終端パッド５５に終端された信号導体１５１に取り付けられた後で、各ケーブル管理部材７０に固定されてもよい。遮蔽部材９０は、任意の所望の方法でケーブル管理部材７０に固定されてもよい。
【００３７】
示された実施形態では、ケーブル管理部材７０の前壁７３は、前壁において隣接する開口部８０の間に配置された又は延在する内向き垂直スロット８６を含む。更に、外向き垂直スロット８７は、各ケーブル管理部材７０の前壁７３と側壁７５との間の交線に沿って配置される。遮蔽部材９０の後壁９４は、複数の突起１０５を含み、１つの突起は各側壁９５から後方に延在し、１つの突起は各内壁１０１から後方に延在している。突起１０５の１つは、内向き垂直スロット８６及び外向き垂直スロット８７と整列し、それらの内部に受容されるように構成されている。示された実施形態では、突起１０５は、内向き垂直スロット８６及び外向き垂直スロット８７に機械的に接続されて、ケーブル管理部材７０と遮蔽部材９０との間に電気的接続を形成する。
【００３８】
上述のように、信号導体１５１を露出させるためにシールド１５３をケーブル１５０から取り除く際に、信号終端１５５におけるインピーダンスは、伝送線の全体的なインピーダンスに対して変更されてもよい。シールド１５３を取り除いた、かつケーブル管理部材７０及び遮蔽部材９０のない伝送線に沿ったインピーダンスを、図２６において線１７０で示す。シールド１５３を取り除いたが、システムがケーブル管理部材７０及び遮蔽部材９０を含んでいる伝送線に沿ったインピーダンスを、図２６において線１７１で示す。このため、信号終端１５５におけるインピーダンス不連続が、ケーブル管理部材７０及び遮蔽部材９０の使用によって減少していると見ることができる。
【００３９】
図１０〜１３を参照すると、組み合わされたケーブル管理及び遮蔽部材１２０は、パドルカード３０の下面３２に取り付けられているものとして示されている。組み合わされたケーブル管理及び遮蔽部材１２０は、前端１２１、後端１２２、及び前端と後端との間に延在する側壁１２３を有する。下面、つまり取付け面１２４は、パドルカード３０の上面３１に隣接して取り付けるように構成され、上面１２５は、取付け面と反対方向に向いている。
【００４０】
中央ウェブ１２６は、側壁１２３の間に延在し、前端１２１から離間している。後側ウェブ１２７は、後端１２２に隣接する側壁１２４の間に延在する。中央ウェブ１２６及び後側ウェブ１２７のそれぞれは、ケーブル１５０の一部を受容するように構成された陥凹部１２８を受容する複数の弓状のケーブルを含む。中央ウェブ１２６及び後側ウェブ１２７のそれぞれからの１つの陥凹部１２８は、嵌合軸２００と平行に軸方向に整列している。複数の細長い突起１２９は、中央ウェブ内の各陥凹部１２８の各外側部に突起を備える中央ウェブ１２６から前方に延在する。
【００４１】
組み合わされたケーブル管理及び遮蔽部材１２０は、示されるように、組み合わされたケーブル管理及び遮蔽部材が、組み合わされたケーブル管理及び遮蔽部材に対してケーブル１５０を保持する構造を含まないこと、並びに組み合わされたケーブル管理及び遮蔽部材が信号終端１５５上に遮蔽を提供する構造を含まないことを除き、ケーブル管理部材７０及び遮蔽部材９０の組み合わせと類似している。換言すれば、組み合わされたケーブル管理及び遮蔽部材１２０は、ケーブル１５０の位置決め及び整列を支援するが、このケーブルは、組み合わされたケーブル管理及び遮蔽部材内の開口部に挿通されず、したがって開口部内部で保持されない。更に、細長い突起１２９は、隣接する信号終端１５５の間に配置された遮蔽突起として動作するが、信号終端に対して垂直遮蔽を提供しない。理解されるように、パドルカード３０の下面３２は、ケーブル終端の１列５３のみを含むので、ケーブル１５０は、信号終端１５５の上を通過しないので、垂直遮蔽が必要でない場合がある。更に、組み合わされたケーブル管理及び遮蔽部材１２０は、低いプロファイルを有するので、垂直の空間が少なくても済む。
【００４２】
一実施形態では、プラグコネクタ１０を組み立てるために、ケーブル１５０の自由端は、概ね又はおおよそ所望の長さに切断され、ケーブル管理部材７０内の開口部の対において後ろから前へ開口部８０を通して挿入される。ケーブル１５０の自由端は、ケーブル管理部材７０に対して位置付けられ、ケーブル管理部材に接着される、ないしは別の方法で固定される。ケーブル１５０の端部は、次いで所望の長さに切断され、剥離ないしは別の方法で処理されて信号導体１５１を露出させる。
【００４３】
上に取り付けられたケーブル１５０を含む第１のケーブル管理部材７０は、列５０に隣接してパドルカード３０の上面３１上に位置付けられ、ケーブル管理部材の取付け突起部７７はパドルカードの取付け孔６７内に位置付けられている。第１のケーブル管理部材７０は、次いでリベット７８などによってパドルカード３０に固定される。各ケーブル１５０の信号導体１５１は、次いではんだ付けなどによって列５０の信号終端パッドに終端される。第１の遮蔽部材９０は次に、第１のケーブル管理部材７０に固定されてもよく、遮蔽部材はパドルカード３０上の接地終端パッド５６に係合している。一実施形態では、第１のケーブル管理部材７０及び第１の遮蔽部材９０は、垂直スロット８６、８７と突起１０５との間でプレス嵌め又は締まり嵌めによって互いに固定されてもよい。
【００４４】
第１のケーブル管理部材７０の取り付け、終端パッドの第１の列５０への信号導体１０１の終端、及び第１の遮蔽部材９０の取り付け後、ケーブル１５０を中に有する第２のケーブル管理部材７０もまた、終端パッドの第２の列５１に隣接してパドルカード３０上に取り付けられてもよく、信号導体１０１は、第２の列の信号パッド５５に終端され、第２の遮蔽部材９０は、第２のケーブル管理部材に取り付けられる。最後に、ケーブル１５０を中に有する第３のケーブル管理部材７０は、終端パッドの第３の列５２に隣接してパドルカード３０上に取り付けられ、信号導体１０１は、第３の列の信号パッド５５に終端され（図２１）、第３の遮蔽部材９０ａは、第２のケーブル管理部材に取り付けられる（図２２）。第３の遮蔽部材９０ａの上を通過しているケーブル１５０はないので、第３の遮蔽部材は、平坦な上壁９６を有してもよい。
【００４５】
ケーブル終端パッドの列５２に隣接してパドルカード３０の上面３１にケーブル管理部材７０を固定すると同時に、ケーブル管理部材を固定するために使用される締結具（例えば、リベット７８）は、パドルカードの下面３２に組み合わされたケーブル管理及び遮蔽部材１２０を固定するためにも使用されてもよい。ケーブル１５０の自由端は、概ね又はおおよそ所望の長さに切断されてもよく、ケーブル１５０は、組み合わされたケーブル管理及び遮蔽部材に類似した取付け具内に位置付けられ得、にかわなどの接着剤を使用して互いに固定され得る。ケーブル１５０の端部は、次いで所望の長さに切断され、剥離ないしは別の方法で処理されて信号導体１５１を露出させる。ケーブルは、次いで中央ウェブ１２６及び後側ウェブ１２７の陥凹部１２８内部に位置付けられ、組み合わされたケーブル管理及び遮蔽部材１２０に対して適所に接着される、ないしは別の方法で固定される。各ケーブル１５０の信号導体１５１は、次いではんだ付けなどによって信号終端パッド５５に終端される。ひとたびケーブル１５０の全てが、パドルカード３０に終端されると、ケーブルを終端したパドルカードは、図４に示されるように下部ハウジング構成要素１７上に位置付けられてもよく、上部ハウジング構成要素１６は、その下部ハウジング構成要素に固定されている。
【００４６】
周知であるように、ケーブル１５０は、時として二芯同軸ケーブルと呼ばれ、典型的には外側シールド１５３を有する。外側シールド１５３を備えている場合、ケーブル管理部材７０は、容量的にシールドに結合することができ、交流電流に対する接地としての役割を果たすことができる。このため、直接的な電気的接続は、接地経路を提供するのに必要とされない。特定の適用例では、しかしながら、ケーブル１５０のシールド１５３とケーブル管理部材７０との間の直接的な電気的接続に対する所望が存在することがあり、それらの状況では、シールド１５３をケーブル管理部材７０に直接接続することができる。
【００４７】
必要に応じて、ケーブル１５０は、ドレインワイヤ１５６も含むことができる（図１６）。一実施形態では、ドレインワイヤ１５６は、直接的に電気的に接続しないでケーブル管理部材７０に容量的に結合され得る。十分な容量的結合を提供するために、ドレインワイヤ１５６に隣接して十分な導電性表面積を有するようにケーブル管理部材７０を構成することができる。あるいは、ドレインワイヤ１５６を、またケーブル管理部材７０又は遮蔽部材９０に直接接続することもできる。更なる実施形態では、ドレインワイヤ１５６をパドルカード３０上の接地構造（例えば、接地終端パッド５６及びブリッジ部材５７）に直接終端してもよい。
【００４８】
図２３〜２６では、ケーブル管理部材７０及び遮蔽部材９０を両方利用する伝送線が、線１７１によって示されると同時に、ケーブル管理部材及び遮蔽部材のない伝送線が、線１７０によって示される。理解され得るように、電気的性能は、従来の設計と比較してケーブル管理部材７０及び遮蔽部材９０で同様又はより良好であり（挿入損失において約０．１ｄＢ悪化する一方、より高い周波数で反射減衰量に認識可能な向上を提供する）、最も大きな向上はクロストーク性能にある。これらの向上は、クロストークの減少が追加のチャネルマージンをもたらす適用例に有用であると期待される。
【００４９】
一部の適用例では、パドルカード３０が、ケーブル終端パッドの各列５０〜５２においてケーブル管理部材７０及び遮蔽部材９０の両方を伴って構成され得る、ケーブル終端パッドの各列５０〜５２においてケーブル管理部材７０及び遮蔽部材９０の１つのみを伴って構成され得る、又はケーブル終端パッドの各列５０〜５２においてケーブル管理部材７０及び遮蔽部材９０のいずれかを伴わずに構成され得ることに留意するべきである。しかしながら、比較的大きな信号導体（２８ゲージ以上）が１０ＧＨｚ以上の速度をサポートするのに使用される適用例では、ケーブル終端パッドの複数の列５０〜５２には、ケーブル終端パッドの列の上を通過するいくつかのケーブル１５０が提供される。結果として、ケーブル終端パッドの各列５０〜５２においてケーブル管理部材７０及び遮蔽部材９０の両方を利用することは、所望される電気的性能（例えば、著しい損失のない高速データ伝送）の実現を支援する。
【００５０】
本明細書で提供される開示は、その好ましい例示的な実施形態の観点で特徴を説明している。添付の請求項の範囲及び趣旨の範囲内で、数多くの他の実施形態、修正、及び変形が、本開示の検討から当業者に想起されるであろう。
【図１】
2020115469.tif 000003
【図２】
2020115469.tif 000004
【図３】
2020115469.tif 000005
【図４】
2020115469.tif 000006
【図５】
2020115469.tif 000007
【図６】
2020115469.tif 000008
【図７】
2020115469.tif 000009
【図８】
2020115469.tif 000010
【図９】
2020115469.tif 000011
【図１０】
2020115469.tif 000012
【図１１】
2020115469.tif 000013
【図１２】
2020115469.tif 000014
【図１３】
2020115469.tif 000015
【図１４】
2020115469.tif 000016
【図１５】
2020115469.tif 000017
【図１６】
2020115469.tif 000018
【図１７】
2020115469.tif 000019
【図１８】
2020115469.tif 000020
【図１９】
2020115469.tif 000021
【図２０】
2020115469.tif 000022
【図２１】
2020115469.tif 000023
【図２２】
2020115469.tif 000024
【図２３】
2020115469.tif 000025
【図２４】
2020115469.tif 000026
【図２５】
2020115469.tif 000027
【図２６】
2020115469.tif 000028